(57)【要約】      （修正有）【課題】低コスト、簡素な構造で移動性を高めつつ、メンテナンスを改善するコンテナハウスを提供する。【解決手段】  コンテナハウス１は、事務所として利用するものであり、少なくとも、底板２と、底板２に固定される前板３と、前脚４と、ローラ５を備える後脚６と、前板３に固定される掛合部材７と、を備えてコンテナ脱着装置付自動車に積み降ろし自在に構成される鉄鋼製のコンテナ８とを備え、コンテナハウス１は、底板２上及び前板３の裏面に固定されるハウス９を備え、ハウス９は、窓１０を設けたハウジング１１と、ハウジング１１の後面に形成される観音開き式の開閉扉１２と、開閉扉１２を開閉させるヒンジ１３と、開閉扉１２をロックするロック装置１４と、底板２の裏面には、一対のレール２３と、複数のリブ２４と、走行時にコンテナ８を自動車に固縛する固縛装置とが備える。【選択図】  図１
2007277840.tif 000002
【特許請求の範囲】
【請求項１】
少なくとも、底板と、該底板に固定される前板と、前脚と、ローラ付後脚と、前記前板に固定される掛合部材と、を備えてコンテナ脱着装置付車両に脱着自在に構成されるコンテナと、
前記底板上に固定されたハウスと、
を備えたことを特徴とするコンテナハウス。
【請求項２】
前記ハウスが事務所である請求項１のコンテナハウス。
【請求項３】
前記ハウス内に家具が固定された請求項１のコンテナハウス。
【請求項４】
前記ハウス内に空調装置が固定された請求項１のコンテナハウス。
【発明の詳細な説明】
【技術分野】
【０００１】
本発明は車両で移動可能なコンテナハウスに関する。
【背景技術】
【０００２】
従来、コンテナハウスに関しては複数の提案がなされている。例えば、特許文献１に示す通り、エアーコンディショナーが設置されているコンテナーハウスに関し、搬送時に室外機を引っ掛けたりすることなく、また冷却能力が高く、窃盗に遭ったりすることのない構造とすることを課題とした発明が提案されている。この発明は、コンテナーハウスの側壁より内側に、コンテナーハウスの室内と仕切られ、外部と連通する開口を有する室外機格納室を設け、該室外機格納室中に、室外機の吹き出し口を前記開口に向けて設置した構造とする。また、前記の室外機格納室の床部に開口を設け、コンテナーハウスの床下の空気が室外機格納室に流入する構造とする。
【特許文献１】特開平09-137616
【０００３】
しかしながら、せっかく、便利な設備が設けられたとしても、移動、設置、メンテナンスが煩雑である。
【発明の開示】
【発明が解決しようとする課題】
【０００４】
そこで、低コスト、簡素な構造で移動性を高めたコンテナハウスを提供することを課題とする。
【課題を解決するための手段】
【０００５】
上記課題に鑑み、請求項１の発明は、少なくとも、底板と、該底板に固定される前板と、前脚と、ローラ付後脚と、前記前板に固定される掛合部材と、を備えてコンテナ脱着装置付車両に脱着自在に構成されるコンテナと、前記底板上に固定されたハウスと、を備えたことを特徴とするコンテナハウスである。
【０００６】
請求項２の発明は、前記ハウスが事務所である請求項１のコンテナハウスである。
【０００７】
請求項３の発明は、前記ハウス内に机が固定された請求項１のコンテナハウスである。
【０００８】
請求項４の発明は、前記ハウス内にイスが固定された請求項１のコンテナハウスである。
【発明の効果】
【０００９】
請求項１〜４により、移動性が高まる。
【００１０】
請求項２により、前記ハウスが事務所であるので、選挙事務所等、多様な事務所の用途に適用できる。
【００１１】
請求項３により、前記ハウス内に家具が固定されたので、机の搬入、搬出の煩雑さが解消できる。
【００１２】
請求項４により、前記ハウス内に空調装置が固定されたので、空調装置の設置の煩雑さが解消できる。
【発明を実施するための最良の形態】
【００１３】
以下に、本発明の好適な一実施形態であるコンテナハウス１について図面を参照して説明する。なお、本発明の実施の形態は、下記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。
【実施例１】
【００１４】
図１乃至図４に示すコンテナハウス１は、事務所として利用するものであり、用途は限定されることはなく、少なくとも、底板２と、底板２に固定される前板３と、前脚４と、ローラ５を備える後脚６と、前板３に固定される掛合部材７と、を備えてコンテナ脱着装置付自動車１００（図９及び図１０参照）に積み降ろし自在に構成される鉄鋼製のコンテナ８とを備えている。コンテナハウス１は、底板２上及び前板３の裏面に固定されるハウス９を備えている。このハウス９は、窓１０を設けたハウジング１１と、ハウジング１１の後面に形成される観音開き式の開閉扉１２と、開閉扉１２を開閉させるヒンジ１３と、開閉扉１２をロックするロック装置１４と、底板２の裏面には、一対のレール２３と、複数のリブ２４と、走行時にコンテナ８を自動車１００に固縛する固縛装置２５とが備えられている。以下、各要素を詳細に説明する。
【００１５】
コンテナハウス１内には、図示は略すが、家具（机、イス、ベッド、タンス、ソファ等）を固定してもよい。また、空調装置も固定してもよい。例えば、イスは回動自在に壁に連結され、倒すことで使用し、戻すことで収納できるものが好ましい。
【００１６】
次に、コンテナ脱着装置付自動車１００について図９を参照して説明する。このコンテナ脱着装置付自動車１００は、運転席にコントロールスイッチ１０２、Ｐ．Ｔ．Ｏ．を操作するＰＴＯレバー１０３、荷台部分に、ダンプアーム１０４と、リフトシリンダ１０５、ソレノイドバルブ１０６、リフトシリンダ１０５で回動（図１０（ａ）〜（ｅ））されるリフトアーム１０７とを備えている。リフトアーム１０７の先端には、吊上フック１０１が設けられ、これによりコンテナハウス１が積み降ろし可能となる。またダンプアーム１０４は後端部を中心として回動可能となっている（図１０（ｆ）（ｇ）参照）。また、ロックシリンダ１０９、コンテナハウス１をロック可能なコンテナロック１８０が設けられ、リフトアーム１０７を固縛状態又は非固縛状態とするものである。コンテナ脱着装置付自動車１００の後端部には、コンテナハウス１の底面の洋式便器９を案内するヒンジローラ１８１が設けられ、またコンテナハウス１を係止するコンテナフック１８２が設けられている。１８３はジャッキである。なお、ダンプアーム１０４のダンプ（図１０（ｇ）参照）が可能である。コンテナハウス１をコンテナ脱着装置付自動車１００に脱着するとき、前脚４は折り畳まれてもよい。
【００１７】
コンテナハウス１をコンテナ脱着装置付自動車１００に積み降ろしする場合は、吊上フック１０１をローラ５に取り付け、コンテナハウス１を吊り上げたり吊り下げたりすることで、コンテナ脱着装置付自動車１００へのコンテナハウス１の積み降ろしを実行する（図９及び図１０参照）。このとき、ローラ５の働きで、コンテナハウス１の底面の円滑な運動を確保し、円滑な作業ができる。なお、図１０（ａ）は固縛状態、同（ｂ）は開放状態、同（ｃ）は離脱状態、同（ｄ）は離脱完了状態、同（ｅ）は装着状態、同（ｆ）は装着完了状態を各々示し、同（ｇ）はダンプ状態を示す。なお、コンテナハウス１をコンテナ脱着装置付自動車１００へ脱着するとき、前脚４を折り曲げたり、縮めたりして、支障の無い様にしてもよい。
【００１８】
コンテナハウス１は、コンテナ脱着装置付自動車１００へ脱着自在であるので、運搬、移動、設置、保管も容易である。
【００１９】
尚、本発明は上記実施の形態に限定されるものではなく、その他種々の変形例を包含するものである。例えば、前脚４の裏面の後部にはローラ５付の後脚６が、また前部にはローラの付いていない内側に折畳んで係止可能な前脚４が夫々一対づつ設けてもよい。前脚４の変更形態として、図示は略すが、折り曲げ可能な構造（伸縮自在でもよい）となっており、折り曲げて前脚４に掛け止めされる構造であり、地面に設置する場合は、直立し、コンテナ脱着自動車１００に装着されるときは、折り畳まれるようにしてもよい。
【図面の簡単な説明】
【００２０】
【図１】（ａ）は本発明の実施形態のコンテナハウスの正面図、（ｂ）は同右側面図である。
【図２】同コンテナハウスの左側面図である。
【図３】同コンテナハウスの底面図である。
【図４】コンテナハウスの自動車への積み下ろし作業を示す説明図である。
【図５】コンテナ脱着装置付自動車の動作説明図である。
【符号の説明】
【００２１】
１…コンテナハウス    ２…底板    ３…前板  ４…前脚
５…ローラ  ６…後脚  ７…掛合部材  ８…コンテナ
９…ハウス  １０…窓  １１…ハウジング
１２…開閉扉  １３…ヒンジ  １４…ロック装置
【図１】
2007277840.tif 000003
【図２】
2007277840.tif 000004
【図３】
2007277840.tif 000005
【図４】
2007277840.tif 000006
【図５】
2007277840.tif 000007